【手続補正書】
【提出日】平成19年2月14日(2007.2.14)
【手続補正１】
【補正対象書類名】明細書
【補正対象項目名】発明の名称
【補正方法】変更
【補正の内容】
【発明の名称】端末装置、情報転送システム、及び記録媒体
【手続補正２】
【補正対象書類名】明細書
【補正対象項目名】特許請求の範囲
【補正方法】変更
【補正の内容】
【特許請求の範囲】
【請求項１】  外部の検索手段を使用することによって外部のデータベースにアクセスし、外部の供給装置に内容を出力する移動可能な端末装置であって、
検索条件を入力する情報入力手段と、
前記情報入力手段によって入力された前記検索条件を用いて行われた前記外部のデータベースの検索に応じて前記外部の検索手段によって提供される検索結果を表示する情報表示手段と、
前記情報表示手段によって表示された前記検索結果の中から一つ以上の検索結果を選択する選択手段と、
前記選択手段によって選択された一つ以上の前記検索結果に対応する指定内容を記録して保持し、前記指定内容を直接を前記外部の供給装置に送り、前記外部の供給装置の動作を指定する情報出力端末とを備えた、端末装置。
【請求項２】  前記端末装置と前記外部の検索手段との間で通信を行うイントラネット通信、インターネット通信、無線通信、赤外線通信、電磁波通信、公衆電話ネットワーク通信、及び取り外し可能な媒体の一つをさらに備えた、請求項１記載の端末装置。
【請求項３】  前記端末装置と前記外部の供給装置との間で通信を行う通信ケーブル、イントラネット通信、インターネット通信、無線通信、赤外線通信、電磁波通信、公衆電話ネットワーク通信、及び取り外し可能な媒体の一つをさらに備えた、請求項１記載の端末装置。
【請求項４】  前記検索は、形容詞及び／または形容動詞である感性語と感性を感じる程度を示す感性情報に基づく検索であり、前記外部のデータベースには感性情報に基づく検索を行うための属性値が格納されている、請求項１記載の端末装置。
【請求項５】 請求項１記載の端末装置の、検索条件を入力する情報入力手段、
前記情報入力手段によって入力された前記検索条件を用いて行われた前記外部のデータベースの検索に応じて前記外部の検索手段によって提供される検索結果を表示する情報表示手段、
前記情報表示手段によって表示された前記検索結果の中から一つ以上の検索結果を選択する選択手段、
前記選択手段によって選択された一つ以上の前記検索結果に対応する指定内容を記録して保持し、前記指定内容を直接を前記外部の供給装置に送り、前記外部の供給装置の動作を指定する情報出力端末としてコンピュータを機能させるためのプログラムを記録した記録媒体であって、コンピュータにより処理可能な記録媒体。
【請求項６】 第２装置の検索手段を用いることによって前記第２装置のデータベースにアクセスし、内容を第３装置に転送する第１装置を含む情報転送システムであって、
前記第１、第２、及び第３装置を備え、
前記第１、第２、及び第３装置のそれぞれは、他の装置と離れており、
前記第１装置は、ユーザによって検索条件を入力する情報入力手段と、
検索結果を表示する情報表示手段と、
前記第２装置から提供される一つ以上の検索結果を選択する選択手段と、
前記選択手段によって選択された一つ以上の前記検索結果に対応する指定内容を記録して保持し、前記指定内容を直接を前記第３装置に送る情報出力端末とを有し、
前記第２装置は、データを含む前記データベースと、
前記第１装置によって提供された前記検索条件を用いて前記データベースを検索する検索手段とを有し、
前記第３装置は、前記第２装置から直接前記第１装置に保持された前記指定内容を受信する受信手段を有する、情報転送システム。
【請求項７】  請求項６記載の情報転送システムの、前記第１装置における、ユーザによって検索条件を入力する情報入力手段、検索結果を表示する情報表示手段、前記第２装置から提供される一つ以上の検索結果を選択する選択手段、前記選択手段によって選択された一つ以上の前記検索結果に対応する指定内容を記録して保持し、前記指定内容を直接を前記第３装置に送る情報出力端末、
前記第２装置における、データを含む前記データベース、前記第１装置によって提供された前記検索条件を用いて前記データベースを検索する検索手段、
前記第３装置における、前記第２装置から直接前記第１装置に保持された前記指定内容を受信する受信手段、
としてコンピュータを機能させるためのプログラムを記録した記録媒体であって、コンピュータにより処理可能な記録媒体。
【請求項８】 前記第１装置と前記第２装置との間で通信を行うイントラネット通信、インターネット通信、無線通信、赤外線通信、電磁波通信、公衆電話ネットワーク通信、及び取り外し可能な媒体の一つをさらに備えた、請求項６載の情報転送システム。
【請求項９】  前記第１装置と前記第３装置との間で通信を行う通信ケーブル、イントラネット通信、インターネット通信、無線通信、赤外線通信、電磁波通信、公衆電話ネットワーク通信、及び取り外し可能な媒体の一つをさらに備えた、請求項６記載の情報転送システム。
【請求項１０】  前記第１装置は、着脱自在の記録媒体を装着する装着手段を有し、
前記第１装置は、前記指定内容を前記記録媒体に格納し、
前記記録媒体が、前記第３装置に装着されると、前記記録媒体に記録されている前記指定内容が前記第３装置に読み取られ、供給するべき前記指定内容が前記第３装置から供給される、請求項６記載の情報転送システム。
【請求項１１】  前記第１装置が前記第３装置に接近すると、前記情報出力端末は、前記指定内容を前記第３装置に送信し、前記第３装置は、供給するべき前記指定内容を供給する、請求項６記載の情報転送システム。
【請求項１２】  前記第１装置は、前記第３装置に着脱自在であり、
前記第１装置が、前記第３装置に装着されると、前記第１装置に記録されている前記指定内容が前記第３装置に読み取られ、供給するべき前記指定内容が前記第２装置から供給される、請求項６記載の情報転送システム。
【請求項１３】  前記データベースには、少なくとも形容詞及び／または形容動詞である感性語と感性を感じる程度を示す感性情報を含む属性値が格納されており、
前記検索手段は、形容詞及び／または形容動詞である感性語と感性を感じる程度を示す感性情報とに基づいて検索を行う、請求項６記載の情報転送システム。
【手続補正３】
【補正対象書類名】明細書
【補正対象項目名】０００１
【補正方法】変更
【補正の内容】
【０００１】
【発明の属する技術分野】
本発明は、カラオケやテレビ番組の予約情報、列車のチケットの予約情報、ホテルの宿泊の予約情報などの情報を端末装置で検索し、予約を実行する端末装置、情報転送システム、及び記録媒体に関するものである。
【手続補正４】
【補正対象書類名】明細書
【補正対象項目名】０００４
【補正方法】変更
【補正の内容】
【０００４】
本発明は、情報通信機器を用いてユーザが得た所望の情報を用いて、何かの予約をしたり機器を制御したりすることが出来ないという課題を考慮し、情報の検索から機器制御までを一つの機器で一貫して行うことが出来る端末装置、情報転送システム、及び記録媒体を提供することを目的とするものである。
【手続補正５】
【補正対象書類名】明細書
【補正対象項目名】０００５
【補正方法】変更
【補正の内容】
【０００５】
【課題を解決するための手段】
上述した課題を解決するために第１の本発明（請求項１に対応）は、外部の検索手段を使用することによって外部のデータベースにアクセスし、外部の供給装置に内容を出力する移動可能な端末装置であって、
検索条件を入力する情報入力手段と、
前記情報入力手段によって入力された前記検索条件を用いて行われた前記外部のデータベースの検索に応じて前記外部の検索手段によって提供される検索結果を表示する情報表示手段と、
前記情報表示手段によって表示された前記検索結果の中から一つ以上の検索結果を選択する選択手段と、
前記選択手段によって選択された一つ以上の前記検索結果に対応する指定内容を記録して保持し、前記指定内容を直接を前記外部の供給装置に送り、前記外部の供給装置の動作を指定する情報出力端末とを備えた、端末装置である。
【手続補正６】
【補正対象書類名】明細書
【補正対象項目名】０００６
【補正方法】変更
【補正の内容】
【０００６】
また第２の本発明（請求項２に対応）は、前記端末装置と前記外部の検索手段との間で通信を行うイントラネット通信、インターネット通信、無線通信、赤外線通信、電磁波通信、公衆電話ネットワーク通信、及び取り外し可能な媒体の一つをさらに備えた、第１の本発明の端末装置である。
【手続補正７】
【補正対象書類名】明細書
【補正対象項目名】０００７
【補正方法】変更
【補正の内容】
【０００７】
また第３の本発明（請求項３に対応）は、前記端末装置と前記外部の供給装置との間で通信を行う通信ケーブル、イントラネット通信、インターネット通信、無線通信、赤外線通信、電磁波通信、公衆電話ネットワーク通信、及び取り外し可能な媒体の一つをさらに備えた、第１の本発明の端末装置である。
【手続補正８】
【補正対象書類名】明細書
【補正対象項目名】０００８
【補正方法】変更
【補正の内容】
【０００８】
また第４の本発明（請求項４に対応）は、前記検索は、形容詞及び／または形容動詞である感性語と感性を感じる程度を示す感性情報に基づく検索であり、前記外部のデータベースには感性情報に基づく検索を行うための属性値が格納されている、第１の本発明の端末装置である。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】変更
【補正の内容】
【００１０】
また第５の本発明（請求項５に対応）は、第１の本発明の端末装置の、検索条件を入力する情報入力手段、
前記情報入力手段によって入力された前記検索条件を用いて行われた前記外部のデータベースの検索に応じて前記外部の検索手段によって提供される検索結果を表示する情報表示手段、
前記情報表示手段によって表示された前記検索結果の中から一つ以上の検索結果を選択する選択手段、
前記選択手段によって選択された一つ以上の前記検索結果に対応する指定内容を記録して保持し、前記指定内容を直接を前記外部の供給装置に送り、前記外部の供給装置の動作を指定する情報出力端末としてコンピュータを機能させるためのプログラムを記録した記録媒体であって、コンピュータにより処理可能な記録媒体である。
【手続補正１１】
【補正対象書類名】明細書
【補正対象項目名】００１１
【補正方法】変更
【補正の内容】
【００１１】
また第６の本発明（請求項６に対応）は、第２装置の検索手段を用いることによって前記第２装置のデータベースにアクセスし、内容を第３装置に転送する第１装置を含む情報転送システムであって、
前記第１、第２、及び第３装置を備え、
前記第１、第２、及び第３装置のそれぞれは、他の装置と離れており、
前記第１装置は、ユーザによって検索条件を入力する情報入力手段と、
検索結果を表示する情報表示手段と、
前記第２装置から提供される一つ以上の検索結果を選択する選択手段と、
前記選択手段によって選択された一つ以上の前記検索結果に対応する指定内容を記録して保持し、前記指定内容を直接を前記第３装置に送る情報出力端末とを有し、
前記第２装置は、データを含む前記データベースと、
前記第１装置によって提供された前記検索条件を用いて前記データベースを検索する検索手段とを有し、
前記第３装置は、前記第２装置から直接前記第１装置に保持された前記指定内容を受信する受信手段を有する、情報転送システムである。
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】変更
【補正の内容】
【００１３】
また第７の本発明（請求項７に対応）は、第６の本発明の情報転送システムの、前記第１装置における、ユーザによって検索条件を入力する情報入力手段、検索結果を表示する情報表示手段、前記第２装置から提供される一つ以上の検索結果を選択する選択手段、前記選択手段によって選択された一つ以上の前記検索結果に対応する指定内容を記録して保持し、前記指定内容を直接を前記第３装置に送る情報出力端末、
前記第２装置における、データを含む前記データベース、前記第１装置によって提供された前記検索条件を用いて前記データベースを検索する検索手段、
前記第３装置における、前記第２装置から直接前記第１装置に保持された前記指定内容を受信する受信手段、
としてコンピュータを機能させるためのプログラムを記録した記録媒体であって、コンピュータにより処理可能な記録媒体である。
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】変更
【補正の内容】
【００１５】
また第８の本発明（請求項８に対応）は、前記第１装置と前記第２装置との間で通信を行うイントラネット通信、インターネット通信、無線通信、赤外線通信、電磁波通信、公衆電話ネットワーク通信、及び取り外し可能な媒体の一つをさらに備えた、第６の本発明の情報転送システムである。
また、第９の本発明（請求項９に対応）は、前記第１装置と前記第３装置との間で通信を行う通信ケーブル、イントラネット通信、インターネット通信、無線通信、赤外線通信、電磁波通信、公衆電話ネットワーク通信、及び取り外し可能な媒体の一つをさらに備えた、第６の本発明の情報転送システムである。
また、第１０の本発明（請求項１０に対応）は、前記第１装置は、着脱自在の記録媒体を装着する装着手段を有し、
前記第１装置は、前記指定内容を前記記録媒体に格納し、
前記記録媒体が、前記第３装置に装着されると、前記記録媒体に記録されている前記指定内容が前記第３装置に読み取られ、供給すべき前記指定内容が前記第３装置から供給される、第６の本発明の情報転送システムである。
また、第１１の本発明（請求項１１に対応）は、前記第１装置が前記第３装置に接近すると、前記情報出力端末は、前記指定内容を前記第３装置に送信し、前記第３装置は、供給するべき前記指定内容を供給する、第６の本発明の情報転送システムである。
また、第１２の本発明（請求項１２に対応）は、前記第１装置は、前記第３装置に着脱自在であり、
前記第１装置が、前記第３装置に装着されると、前記第１装置に記録されている前記指定内容が前記第３装置に読み取られ、供給するべき前記指定内容が前記第２装置から供給される、第６の本発明の情報転送システムである。
また、第１３の本発明（請求項１３に対応）は、前記データベースには、少なくとも形容詞及び／または形容動詞である感性語と感性を感じる程度を示す感性情報を含む属性値が格納されており、
前記検索手段は、形容詞及び／または形容動詞である感性語と感性を感じる程度を示す感性情報とに基づいて検索を行う、第６の本発明の情報転送システムである。
【手続補正１６】
【補正対象書類名】明細書
【補正対象項目名】０１４８
【補正方法】変更
【補正の内容】
【０１４８】
【発明の効果】
以上説明したところから明らかなように、本発明はデータベースから情報を検索し、その検索結果をそのまま接続ケーブルで接続された供給装置に転送し、外部機器の動作を指示することができる端末装置、及び記録媒体を提供することが出来る。
【手続補正１７】
【補正対象書類名】明細書
【補正対象項目名】０１４９
【補正方法】変更
【補正の内容】
【０１４９】
また、本発明は、端末装置からはネットワークで結ばれた情報サーバ装置内のデータベースから情報を検索し、その検索結果をそのまま赤外線によって供給装置に転送し、供給装置の動作を指示することが出来る端末装置、及び記録媒体を提供することが出来る。
【手続補正１８】
【補正対象書類名】明細書
【補正対象項目名】０１５０
【補正方法】変更
【補正の内容】
【０１５０】
また、本発明は、検索端末装置からは公衆電話網で結ばれた情報サーバ装置内のデータベースから情報を検索し、その検索結果をそのまま電波によって供給装置に転送することが出来る情報転送システム、端末装置、及び記録媒体を提供することが出来る。
【手続補正１９】
【補正対象書類名】明細書
【補正対象項目名】０１５１
【補正方法】変更
【補正の内容】
【０１５１】
また、本発明は、端末装置からは無線通信あるいは赤外線通信で結ばれた情報サーバ装置内のデータベースから情報を検索し、その検索結果をそのままリムーバブルメディアによって外部機器に転送することが出来る情報転送システム、端末装置、及び記録媒体を提供することが出来る。
【手続補正２０】
【補正対象書類名】明細書
【補正対象項目名】０１５２
【補正方法】変更
【補正の内容】
【０１５２】
また、本発明は、形容詞、形容動詞などの言葉によって、検索端末装置からは公衆電話網で結ばれた情報サーバ装置内のデータベースから情報を検索し、その検索結果をそのまま電波によって供給装置に転送し、供給装置の動作を指示することが出来る情報転送システム、端末装置、及び記録媒体を提供することが出来る。